【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
記憶部を備え、イントラネット内に配置されたＬＤＡＰ（Lightweight Directory Access Protocol）サーバと通信可能な通信装置であって、
ネットワークを介したリモート操作のために利用されるユーザーインターフェースを提供する提供手段と、
所定の操作を受け付けた際に、前記記憶部に前記ＬＤＡＰサーバにログインするための認証情報が格納され、かつ、該所定の操作のために前記提供されるユーザーインターフェースが利用されていない場合に、前記記憶部から前記認証情報を取得する第１取得手段と、
前記取得された認証情報を用いて、前記ＬＤＡＰサーバにログインするよう制御する制御手段と、
前記制御手段による制御に応じてログインできた場合に、前記ＬＤＡＰサーバから情報を取得する第２取得手段と、
前記提供されるユーザーインターフェースを用いた操作を受け付け、前記ＬＤＡＰサーバにログインしようとする場合に、該ユーザーインターフェースを介して認証情報の入力を要求する要求手段と、を有し、
前記制御手段が前記提供されるユーザーインターフェースを用いた前記操作に従い前記ＬＤＡＰサーバにログインするよう制御する際には、前記記憶部に格納された認証情報が利用されないことを特徴とする通信装置。
【請求項２】
１つ以上の送信宛先が登録されたアドレス帳を格納する記憶手段を更に有し、
前記ＬＤＡＰサーバから取得される情報としての送信宛先は、前記記憶手段に格納されている前記アドレス帳に登録され、
前記通信装置は、前記記憶手段に格納されている前記アドレス帳を使用して指定された送信宛先へ電子データを送信する送信手段を更に有する
ことを特徴とする請求項１に記載の通信装置。
【請求項３】
原稿の画像を読み取って画像データを生成する読取手段を更に有し、
前記送信手段は、前記読取手段によって生成された画像データを、前記指定された送信宛先へ送信する
ことを特徴とする請求項２に記載の通信装置。
【請求項４】
ユーザの指示に従って前記ＬＤＡＰサーバに関する設定を行う設定手段であって、ユーザによって設定された認証情報を前記記憶部に格納する、前記設定手段を更に有する
ことを特徴とする請求項１から３のいずれか１項に記載の通信装置。
【請求項５】
記憶部を備え、イントラネット内に配置されたＬＤＡＰサーバと通信可能な通信装置の制御方法であって、
ネットワークを介したリモート操作のために利用されるユーザーインターフェースを提供する提供工程と、
所定の操作を受け付けた際に、前記記憶部に前記ＬＤＡＰサーバにログインするための認証情報が格納され、かつ、該所定の操作のために前記提供されるユーザーインターフェースが利用されていない場合に、前記記憶部から前記認証情報を取得する第１取得工程と、
前記取得された認証情報を用いて、前記ＬＤＡＰサーバにログインするよう制御する制御工程と、
前記制御工程における制御に応じてログインできた場合に、前記ＬＤＡＰサーバから情報を取得する第２取得工程と、
前記提供されるユーザーインターフェースを用いた操作を受け付け、前記ＬＤＡＰサーバにログインしようとする場合に、該ユーザーインターフェースを介して認証情報の入力を要求する要求工程と、を有し、
前記提供されるユーザーインターフェースを用いた前記操作に従い前記ＬＤＡＰサーバにログインするよう制御する際には、前記記憶部に格納された認証情報が利用されないことを特徴とする通信装置の制御方法。
【請求項６】
請求項５に記載の通信装置の制御方法の各工程をコンピュータに実行させるためのプログラム。
【請求項７】
イントラネット内に配置されたＬＤＡＰサーバと、記憶部を備え、前記ＬＤＡＰサーバと通信可能な通信装置と、を備える通信システムであって、
前記通信装置は、
ネットワークを介したリモート操作のために利用されるユーザーインターフェースを提供する提供手段と、
所定の操作を受け付けた際に、前記記憶部に前記ＬＤＡＰサーバにログインするための認証情報が格納され、かつ、該所定の操作のために前記提供されるユーザーインターフェースが利用されていない場合、前記記憶部から前記認証情報を取得する第１取得手段と、
前記取得された認証情報を用いて、前記ＬＤＡＰサーバにログインするよう制御する制御手段と、
前記制御手段による制御に応じてログインできた場合に、前記ＬＤＡＰサーバから情報を取得する第２取得手段と、
前記提供されるユーザーインターフェースを用いた操作を受け付け、前記ＬＤＡＰサーバにログインしようとする場合に、該ユーザーインターフェースを介して認証情報の入力を要求する要求手段と、を有し、
前記制御手段が前記提供されるユーザーインターフェースを用いた前記操作に従い前記ＬＤＡＰサーバにログインするよう制御する際には、前記記憶部に格納された認証情報が利用されないことを特徴とする通信システム。
【請求項８】
前記ＬＤＡＰサーバは、電子データの送信宛先を管理しており、
前記通信装置は、１つ以上の送信宛先が登録されたアドレス帳を格納する記憶手段を更に有し、
前記ＬＤＡＰサーバから取得される情報としての送信宛先は、前記記憶手段に格納されている前記アドレス帳に登録され、
前記通信装置は、前記記憶手段に格納されている前記アドレス帳を使用して指定された送信宛先へ電子データを送信する送信手段を更に有する
ことを特徴とする請求項７に記載の通信システム。
【請求項９】
前記通信装置は、原稿の画像を読み取って画像データを生成する読取手段を更に有し、
前記送信手段は、前記読取手段によって生成された画像データを、前記指定された送信宛先へ送信する
ことを特徴とする請求項８に記載の通信システム。
【請求項１０】
前記通信装置は、ユーザの指示に従って前記ＬＤＡＰサーバに関する設定を行う設定手段であって、ユーザによって設定された認証情報を前記記憶部に格納する、前記設定手段を更に有する
ことを特徴とする請求項７から９のいずれか１項に記載の通信システム。
【手続補正２】
【補正対象書類名】明細書
【補正対象項目名】０００６
【補正方法】変更
【補正の内容】
【０００６】
本発明の一態様に係る通信装置は、記憶部を備え、イントラネット内に配置されたＬＤＡＰ（Lightweight Directory Access Protocol）サーバと通信可能な通信装置であって、ネットワークを介したリモート操作のために利用されるユーザーインターフェースを提供する提供手段と、  所定の操作を受け付けた際に、前記記憶部に前記ＬＤＡＰサーバにログインするための認証情報が格納され、かつ、該所定の操作のために前記提供されるユーザーインターフェースが利用されていない場合に、前記記憶部から前記認証情報を取得する第１取得手段と、前記取得された認証情報を用いて、前記ＬＤＡＰサーバにログインするよう制御する制御手段と、前記制御手段による制御に応じてログインできた場合に、前記ＬＤＡＰサーバから情報を取得する第２取得手段と、前記提供されるユーザーインターフェースを用いた操作を受け付け、前記ＬＤＡＰサーバにログインしようとする場合に、該ユーザーインターフェースを介して認証情報の入力を要求する要求手段と、を有し、前記制御手段が前記提供されるユーザーインターフェースを用いた前記操作に従い前記ＬＤＡＰサーバにログインするよう制御する際には、前記記憶部に格納された認証情報が利用されないことを特徴とする。
【手続補正３】
【補正対象書類名】明細書
【補正対象項目名】０００７
【補正方法】変更
【補正の内容】
【０００７】
本発明の一態様に係る通信システムは、イントラネット内に配置されたＬＤＡＰサーバと、記憶部を備え、前記ＬＤＡＰサーバと通信可能な通信装置と、を備える通信システムであって、前記通信装置は、ネットワークを介したリモート操作のために利用されるユーザーインターフェースを提供する提供手段と、所定の操作を受け付けた際に、前記記憶部に前記ＬＤＡＰサーバにログインするための認証情報が格納され、かつ、該所定の操作のために前記提供されるユーザーインターフェースが利用されていない場合、前記記憶部から前記認証情報を取得する第１取得手段と、前記取得された認証情報を用いて、前記ＬＤＡＰサーバにログインするよう制御する制御手段と、前記制御手段による制御に応じてログインできた場合に、前記ＬＤＡＰサーバから情報を取得する第２取得手段と、前記提供されるユーザーインターフェースを用いた操作を受け付け、前記ＬＤＡＰサーバにログインしようとする場合に、該ユーザーインターフェースを介して認証情報の入力を要求する要求手段と、を有し、前記制御手段が前記提供されるユーザーインターフェースを用いた前記操作に従い前記ＬＤＡＰサーバにログインするよう制御する際には、前記記憶部に格納された認証情報が利用されないことを特徴とする。